(57)【要約】【課題】放熱性の向上を図ること。【解決手段】照明装置は、内器と、筐体と、カバー６と、を備える。内器２は、発光ダイオードを含む光源を点灯させる点灯回路を有する。筐体は、内器を収容する。カバー６は、筐体に取り付けられて、光源を外部に臨ませる窓孔６１を有する。カバー６は、カバー６を造営材に取り付けるための複数の支持具をそれぞれ保持する複数の保持部６２を有する。複数の保持部６２の各々は、カバー６において筐体が取り付けられる取付面６０から一方向に突出している。複数の保持部６２は、一方向から見て、筐体を囲むように並んで配置されており、かつ、カバー６の周方向において空所を挟んで互いに離れている。【選択図】図１
2019087322.tif 000002
【特許請求の範囲】
【請求項１】
発光ダイオードを含む光源を点灯させる点灯回路を有し、一方向の一端にて前記光源を保持可能な内器と、
前記内器を収容する筐体と、
前記筐体に取り付けられて、前記光源を外部に臨ませる窓孔を有するカバーと、を備え、
前記カバーは、前記カバーを造営材に取り付けるための複数の支持具をそれぞれ保持する複数の保持部を有しており、
前記複数の保持部の各々は、前記カバーにおいて前記筐体が取り付けられる取付面から前記一方向に突出しており、
前記複数の保持部は、前記一方向から見て、前記筐体を囲むように並んで配置されており、かつ、前記カバーの周方向において空所を挟んで互いに離れている
照明装置。
【請求項２】
前記複数の保持部の各々と、前記筐体とは、互いに離れている
請求項１記載の照明装置。
【請求項３】
前記カバーの前記取付面には、前記一方向に突出する１以上のリブが設けられており、
前記１以上のリブは、前記カバーの周方向において前記複数の保持部と並ぶように配置されている
請求項１又は２に記載の照明装置。
【請求項４】
前記筐体は、前記内器を前記筐体に固定するための固定部を有しており、
前記１以上のリブにおいて前記固定部に対向する部位は、前記固定部を外部に臨ませるように開放されている
請求項３記載の照明装置。
【請求項５】
前記筐体は、板材からなり、前記内器を前記筐体に固定するための固定部を有しており、
前記一方向における前記一端とは反対側の一端にて前記筐体の底部を構成する底片と、
前記筐体の側部を構成する複数の側片と、を有し、
前記複数の側片は、それぞれ前記底片と繋がっており、かつ、前記複数の側片のうち隣り合う２つの側片の間に隙間を有しており、
前記固定部は、前記複数の側片の各々に設けられており、前記一方向と交差する方向にて前記内器の一部に固定される
請求項１〜４のいずれか１項に記載の照明装置。
【発明の詳細な説明】
【技術分野】
【０００１】
本開示は、一般に照明装置に関し、より詳細には、光源を点灯させるための点灯回路を有する照明装置に関する。
【背景技術】
【０００２】
従来、ＬＥＤ（Light Emitting Diode）を光源とする照明装置が知られており、例えば特許文献１に開示されている。特許文献１に記載の照明装置は、ダウンライト型の照明装置であって、電源部と、光源部と、を備える。電源部は、電源端子台と、電源装置と、を有する。光源部は、ヒートシンクと、発光素子（ＬＥＤ）が実装された発光部と、を有する。電源装置は、ヒートシンクの内側に配置されている。
【先行技術文献】
【特許文献】
【０００３】
【特許文献１】特開２０１７−９８１３１号公報
【発明の概要】
【発明が解決しようとする課題】
【０００４】
しかしながら、特許文献１に記載の照明装置では、電源装置（内器）がヒートシンク（筐体）等の部品により囲まれる閉空間に収納されているため、この閉空間に熱が留まり易く、放熱性が向上しにくい、という問題があった。
【０００５】
本開示は、上記の点に鑑みてなされており、放熱性の向上を図ることのできる照明装置を提供することを目的とする。
【課題を解決するための手段】
【０００６】
本開示の一態様に係る照明装置は、内器と、筐体と、カバーと、を備える。前記内器は、発光ダイオードを含む光源を点灯させる点灯回路を有し、一方向の一端にて前記光源を保持可能である。前記筐体は、前記内器を収容する。前記カバーは、前記筐体に取り付けられて、前記光源を外部に臨ませる窓孔を有する。前記カバーは、前記カバーを造営材に取り付けるための複数の支持具をそれぞれ保持する複数の保持部を有する。前記複数の保持部の各々は、前記カバーにおいて前記筐体が取り付けられる取付面から前記一方向に突出している。前記複数の保持部は、前記一方向から見て、前記筐体を囲むように並んで配置されており、かつ、前記カバーの周方向において空所を挟んで互いに離れている。
【発明の効果】
【０００７】
本開示は、放熱性の向上を図ることができる、という利点がある。
【図面の簡単な説明】
【０００８】
【図１】図１は、本開示の一実施形態に係る照明装置のカバーを示す概略斜視図である。
【図２】図２は、同上の照明装置のカバーを示す概略平面図である。
【図３】図３は、上方から見た同上の照明装置の概略斜視図である。
【図４】図４は、下方から見た同上の照明装置の概略斜視図である。
【図５】図５Ａ及び図５Ｂは、それぞれ同上の照明装置の筐体を示す概略斜視図である。
【図６】図６は、同上の照明装置と予備電源装置との接続関係を示す概略ブロック図である。
【図７】図７Ａ及び図７Ｂは、それぞれ同上の照明装置の組立方法を説明するための概念図である。
【図８】図８は、同上の照明装置の組立済み筐体が取り付けられる別カバーの概略斜視図である。
【図９】図９は、同上の照明装置の組立済み筐体を別カバーに取り付けた状態の概略斜視図である。
【発明を実施するための形態】
【０００９】
（１）構成
以下、本開示の一実施形態に係る照明装置１００について図面を参照して説明する。ただし、下記の実施形態において説明する各図は模式的な図であり、各構成要素の大きさ及び厚さ各々の比が必ずしも実際の寸法比を反映しているとは限らない。また、以下の説明では、図７に示すように、筐体１の第１方向（長手方向）Ｄ１を上下方向とし、筐体１の開口から見て底片１１側を「上」、反対側を「下」と規定する。なお、図面に示す第１方向Ｄ１（上下方向）の矢印、及び第２方向Ｄ２の矢印は、いずれも説明のために表記しているに過ぎず、実体を伴わない。また、上記の方向の規定は、照明装置１００の使用態様を限定する趣旨ではない。
【００１０】
本実施形態の照明装置１００は、図１〜図４に示すように、筐体１と、内器２と、光源３と、カバー６と、複数（ここでは、２つ）の支持具７と、を備えている。内器２は、発光ダイオード（Light Emitting Diode：ＬＥＤ）を含む光源３を点灯させる点灯回路２１２（図６参照）を有している。また、内器２は、一方向（第１方向Ｄ１）の一端（ここでは、下端）にて光源３を保持可能に構成されている。筐体１は、内器２を収容し、第１方向Ｄ１の第１端（ここでは、下端）にて内器２を保持可能に構成されている（図７参照）。つまり、筐体１の第１方向Ｄ１の第１端に、内器２の第１方向Ｄ１の第１端を固定することにより、内器２が筐体１に保持されている。
【００１１】
本実施形態では、照明装置１００は、電池を内蔵していない、いわゆる電源別置型の非常灯（非常用照明器具）として構成されている。照明装置１００は、例えば宿泊施設、又はオフィスビルなどの建物に設置される。具体的には、照明装置１００は、建物における通路又は廊下などの照明の対象となる空間にある造営材（ここでは、天井材）Ａ１に埋込設置される（図４参照）。照明装置１００は、図６に示すように、外部にある予備電源装置Ｂ１から供給される直流電力又は交流電力（ここでは、直流電力）によって光源３を点灯するように構成されている。
【００１２】
筐体１は、例えば亜鉛鋼板又はステンレス鋼板などの１枚の板金（つまり、板材）に打ち抜き加工を施し、かつ、曲げ加工を施すことにより形成される。筐体１は、図５Ａ及び図５Ｂに示すように、全体として、下面が開口し、かつ上部を底部とする第１方向Ｄ１に長い有底筒状に形成されている。本開示でいう「第１方向」は、照明装置１００を造営材Ａ１に取り付けるときに、造営材Ａ１に設けられた埋込孔Ａ１１に照明装置１００を抜き差しする方向に相当する。本実施形態では、照明装置１００は、造営材Ａ１としての天井材に取り付けられているため、第１方向Ｄ１は、例えば鉛直方向となる。もちろん、第１方向Ｄ１は、鉛直方向でなくてもよく、鉛直方向に対して所定の角度傾いた方向であってもよい。
【００１３】
筐体１は、第１方向Ｄ１と交差する第２方向Ｄ２から見て矩形状の２つの窓１３を有している。本開示でいう「第２方向」は、第１方向Ｄ１と交差する（直交する）方向である。本実施形態では、照明装置１００が造営材Ａ１としての天井材に取り付けられているため、第２方向Ｄ２は、例えば水平方向となる。もちろん、第２方向Ｄ２は、水平方向でなくてもよく、水平方向に対して所定の角度傾いた方向であってもよい。筐体１に内器２を収容した状態において、２つの窓１３のうち１つの窓１３からは、後述する入力端子部２３の電線差込口２３１が露出している。電線差込口２３１には、予備電源装置Ｂ１からの電源ケーブルが接続される。
【００１４】
筐体１は、底片１１と、複数（ここでは、２つ）の側片１２と、を有している。底片１１は、第１方向Ｄ１から見て矩形状であって、第１方向Ｄ１における第１端（ここでは、下端）とは反対側の第２端（ここでは、上端）にて、筐体１の底部を構成している。つまり、本実施形態では、筐体１の上端が底部であり、筐体１の下端が開口している。
【００１５】
複数の側片１２の各々は、底片１１と繋がっており、筐体１の側部を構成している。複数の側片１２の各々は、第１方向Ｄ１に長い矩形状の５つの片（第１片１２１、第２片１２２、第３片１２３、第４片１２４、及び第５片１２５）を有している。言い換えれば、筐体１は、第１片１２１、第２片１２２、第３片１２３、第４片１２４、及び第５片１２５を２つずつ有している。複数の側片１２の各々において、これら５つの片１２１〜１２５は一体に形成されている。
【００１６】
第１片１２１は、第１方向Ｄ１の第２端（上端）が底片１１の一端に繋がっている。第１片１２１には、支持具７を保持する保持部１４が設けられている。言い換えれば、複数の側片１２のうち２以上の側片１２（第１片１２１）の各々には、支持具７を保持する保持部１４が設けられている。保持部１４は、一対の保持片１４１を有している。一対の保持片１４１は、第１片１２１から切り起こすことで形成されており、第１方向Ｄ１から見て鉤状である。第１片１２１において、一対の保持片１４１の間に支持具７の第１端部７１（後述する）を差し込むことにより、支持具７が一対の保持片１４１に保持される。
【００１７】
本実施形態では、複数の支持具７は、それぞれ後述するカバー６の複数の保持部６２に保持されているので、筐体１の複数の保持部１４は用いない。筐体１の複数の保持部１４は、カバー６の代わりに別カバー９（後述する）を用いる場合に、複数の支持具７を保持するために用いる。
【００１８】
第２片１２２は、第１片１２１の短手方向の一端側で第１片１２１と繋がっている。第３片１２３は、第１片１２１の短手方向の他端側で第１片１２１と繋がっている。第２片１２２の第１方向の第１端（下端）には、第２方向Ｄ２に貫通する円形状の固定孔１５１が設けられている。固定孔１５１は、第２方向Ｄ２から組立ねじ８（図３参照）を挿入可能であり、筐体１を放熱部材２２に固定するために用いられる。つまり、第２片１２２における固定孔１５１の周縁は、内器２の一部である放熱部材２２に固定される固定部１５に相当する。言い換えれば、複数の側片１２（ここでは、第２片１２２）の各々は、第１方向Ｄ１と交差する第２方向Ｄ２にて内器２の一部（ここでは、放熱部材２２）に固定される固定部１５を有している。
【００１９】
第４片１２４は、第２片１２２の短手方向の一端（第１片１２１と反対側の一端）と繋がっている。第５片１２５は、第３片１２３の短手方向の一端（第１片１２１と反対側の一端）と繋がっている。２つの側片１２のうち一方の側片１２の第４片１２４と、他方の側片１２の第５片１２５とは、隙間１６を挟んで互いに対向している。同様に、２つの側片１２のうち一方の側片１２の第５片１２５と、他方の側片１２の第４片１２４とは、隙間１６を挟んで互いに対向している。つまり、複数の側片１２のうち隣り合う２つの側片１２の間に隙間１６を有している。
【００２０】
本実施形態では、固定部１５の固定孔１５１は、第１片１２１と第４片１２４との間の中間部よりも第４片１２４に近い位置に設けられている。更に言えば、２以上の側片１２の各々において、固定部１５（ここでは、固定孔１５１の周縁）は、側片１２の中間部よりも隙間１６に近い位置に設けられている。
【００２１】
内器２は、図７Ａ及び図７Ｂに示すように、全体として筐体１に収容可能な寸法であって、電源ユニット２１と、放熱部材２２と、入力端子部２３（図３参照）と、を有している。なお、図７Ａ及び図７Ｂでは、入力端子部２３の図示を省略している。また、図７Ａ及び図７Ｂでは、内器２の電源ユニット２１及び放熱部材２２は、簡略化した形状で表されている。
【００２２】
電源ユニット２１は、第１方向Ｄ１に長い筒状のケース２１１を有しており、ケース２１１内に点灯回路２１２（図６参照）を収容している。点灯回路２１２は、例えばダイオードブリッジといった全波整流回路と、降圧チョッパ回路と、を有している。点灯回路２１２は、入力端子部２３を介して供給される直流電力又は交流電力を、所定の直流電力に変換するように構成されている。そして、点灯回路２１２は、降圧チョッパ回路の出力電流を光源３に供給して光源３を点灯させるように構成されている。
【００２３】
放熱部材２２は、例えばアルミニウム又はアルミニウム合金などの金属製の板材であって、円盤状の主板２２１と、一対の突片２２２と、を有している。主板２２１は、ねじ止め等の適宜の固定手段により、電源ユニット２１のケース２１１の下端に固定されている。また、主板２２１は、ねじ止め等の適宜の固定手段により、ホルダ５及びカバー６に取り付けられている。言い換えれば、放熱部材２２の第１方向Ｄ１の一端（下端）には、ホルダ５が取付可能である。
【００２４】
一対の突片２２２は、第２方向Ｄ２から見て矩形状であって、放熱部材２２における複数の側片１２（ここでは、第２片１２２）の各々と対向する部位に設けられている。一対の突片２２２は、主板２２１の第２方向Ｄ２における両側からそれぞれ下向き（つまり、第１方向Ｄ１において放熱部材２２からホルダ５に向かう向き）に突出している。一対の突片２２２の各々には、第２方向Ｄ２に貫通する円形状の固定孔２２３が設けられている。これら２つの固定孔２２３と、筐体１の２つの固定孔１５１とを重ね合わせた状態で、それぞれ組立ねじ８でねじ止めすることにより、一対の突片２２２（つまり、内器２の一部である放熱部材２２）が筐体１の固定部１５に固定される。
【００２５】
主板２２１の下面は、放熱部材２２がホルダ５に取り付けられた状態において、放熱シートを間に挟む形で、光源３の実装基板に接触する。これにより、放熱部材２２は、光源３と熱的に結合する。そして、放熱部材２２は、光源３と熱的に結合することにより、光源３が点灯することで発する熱を、放熱部材２２の一対の突片２２２に固定される筐体１を介して外部へ逃がすように構成されている。
【００２６】
入力端子部２３は、電源ケーブルが接続される端子台である。本実施形態では、入力端子部２３は、送り端子付きの端子台で構成されている。もちろん、入力端子部２３は、送り端子を有していなくてもよい。入力端子部２３には、電源ケーブルを介して予備電源装置Ｂ１から供給される直流電力又は交流電力が入力される。入力端子部２３に入力された直流電力又は交流電力は、点灯回路２１２に出力される。
【００２７】
光源３は、ＬＥＤモジュールである。光源３では、矩形平板状の実装基板の実装面の中央に少なくとも１個のＬＥＤチップが実装される。ＬＥＤチップは、例えば、青色光を放射する青色発光ダイオードであることが好ましい。また、ＬＥＤチップを含む実装基板の実装面は、ＬＥＤチップから放射される青色光を波長変換する蛍光物質が混入された封止樹脂で円盤状に被われている。さらに、実装基板には、カソードの電極とアノードの電極とが形成されている。光源３は、アノードの電極とカソードの電極との間に直流電圧が印加されることにより、白色の照明光を放射するように構成されている。光源３は、レンズ４と共にホルダ５に保持されている。
【００２８】
レンズ４は、例えばガラス製であって、図４に示すように半球状のレンズ部４１と、レンズ部４１の周縁から外向きに突出する円環状の鍔部と、を有している。レンズ部４１は、回転放物面形状の入射面を有している。レンズ部４１は、入射面に入射する光（つまり、光源３から放射される光）の配光を制御するように構成されている。
【００２９】
ホルダ５は、例えばポリカーボネート樹脂などの合成樹脂材料からなり、図７Ａに示すように円盤状に形成されている。ホルダ５には、第１方向Ｄ１に貫通する開口部が設けられている。光源３は、この開口部を通してＬＥＤチップが外部に臨むように、ホルダ５に保持されている。また、レンズ４は、光源３から放射される光がレンズ部４１の入射面に入射するように、鍔部がホルダ５に保持されている。ホルダ５は、ねじ止め等の適宜の固定手段により、放熱部材２２及びカバー６に取り付けられている。
【００３０】
カバー６は、例えばアルミニウム等の金属材料からなり、図１及び図２に示すように、筐体１の外形よりも大きい円盤状に形成されている。カバー６は、筐体１に取り付けられて、筐体１の下面の開口を塞ぐように構成されている。カバー６の中央には、第１方向Ｄ１に貫通する円形状の窓孔６１が設けられている。窓孔６１は、レンズ４のレンズ部４１を通すことが可能な寸法である。カバー６が内器２を収容した筐体１に取り付けられた状態において、窓孔６１には、レンズ部４１が挿し通される。つまり、レンズ部４１は、窓孔６１を通してカバー６の外部に臨む。このように、窓孔６１は、レンズ部４１を介して光源３を外部に臨ませる。
【００３１】
カバー６は、複数（ここでは、２つ）の保持部６２と、１以上（ここでは、２つ）のリブ６３と、１以上（ここでは、２つ）の内側リブ６４と、複数（ここでは、２つ）のボス６５と、を有している。
【００３２】
複数のボス６５は、カバー６の取付面６０から一方向（第１方向Ｄ１）に突出しており、カバー６と一体に形成されている。本開示でいう「取付面」は、カバー６において筐体１が取り付けられる面であり、カバー６の上面である。すなわち、「取付面」は、カバー６の一面であって、カバー６において筐体１と接触している部位だけではなく、接触していない部位も含んでいる。複数のボス６５は、第１方向Ｄ１から見て、窓孔６１を挟んで対向するように配置されている。複数のボス６５と、放熱部材２２に設けられた複数のねじ孔と、ホルダ５に設けられた複数のねじ孔とを重ね合わせた状態で、取付ねじを用いてねじ止めすることにより、カバー６にホルダ５及び放熱部材２２（つまり、内器２）が取り付けられる。そして、カバー６に取り付けられた内器２に筐体１を被せ、筐体１に内器２を固定することにより、筐体１もカバー６に取り付けられる。以下では、内器２を収容した状態で内器２が固定された筐体１を「組立済み筐体」ともいう。
【００３３】
複数の保持部６２の各々は、カバー６の取付面６０から一方向（第１方向Ｄ１）に突出しており、カバー６と一体に形成されている。複数の保持部６２は、それぞれ支持具７を保持するように構成されている。具体的には、複数の保持部６２の各々は、第１方向Ｄ１に長い矩形状の起立片６２１と、起立片６２１の短手方向の両側に設けられた一対の保持片６２２と、を有している。一対の保持片６２２は、起立片６２１からカバー６の径方向（第２方向Ｄ２）に突出しており、第１方向Ｄ１から見て鉤状である。複数の保持部６２の各々において、一対の保持片６２２の間に支持具７の第１端部７１を差し込むことにより、支持具７が一対の保持片６２２に保持される。
【００３４】
複数の保持部６２は、図２に示すように、第１方向Ｄ１から見て、１以上の内側リブ６４を囲むように、カバー６の周方向に並んで配置されている。１以上の内側リブ６４で囲まれる凹所には、後述するように組立済み筐体が配置される。つまり、組立済み筐体がカバー６に取り付けられた状態において、複数の保持部６２は、一方向（第１方向Ｄ１）から見て、組立済み筐体（つまり、筐体１）を囲むように並んで配置されている。そして、複数の保持部６２は、カバー６の周方向において空所を挟んで互いに離れている。つまり、複数の保持部６２は、カバー６の取付面６０から突出しているが、他の部品（カバー６における複数の保持部６２以外の部品）を介して繋がっておらず、互いに独立している。
【００３５】
また、複数の保持部６２の各々は、図２に示すように、カバー６の径方向（第２方向Ｄ２）において、１以上の内側リブ６４から離れて配置されている。つまり、組立済み筐体がカバー６に取り付けられた状態において、複数の保持部６２の各々と、組立済み筐体（つまり、筐体１）とは、互いに離れている。
【００３６】
１以上のリブ６３の各々は、カバー６の取付面６０から一方向（第１方向Ｄ１）に突出しており、カバー６と一体に形成されている。１以上のリブ６３の各々は、図２に示すように、カバー６の周方向において複数の保持部６２と並ぶように配置されている。１以上のリブ６３の並ぶ仮想円の径方向（第２方向Ｄ２）の寸法は、埋込孔Ａ１１の径方向の寸法よりも僅かに小さくなっている。このため、照明装置１００を造営材Ａ１に取り付けるときに、１以上のリブ６３は、カバー６（つまり、照明装置１００）を位置決めするためのガイドとして機能する。
【００３７】
１以上のリブ６３の各々には、隙間６３１が設けられている。隙間６３１は、カバー６にホルダ５及び放熱部材２２（つまり、内器２）が取り付けられた状態において、放熱部材２２の突片２２２と対向する位置に設けられている。更に言えば、隙間６３１は、カバー６に取り付けられた内器２に筐体１を被せた状態において、筐体１の固定部１５と対向する位置に設けられている。したがって、固定部１５は、第２方向Ｄ２から見て、隙間６３１（及び後述する隙間６４１）を通して外部に臨む。つまり、１以上のリブ６３において固定部１５に対向する部位（隙間６３１）は、固定部１５を外部に臨ませるように開放されている、と言える。
【００３８】
１以上の内側リブ６４の各々は、カバー６の取付面６０から一方向（第１方向Ｄ１）に突出しており、カバー６と一体に形成されている。１以上の内側リブ６４の各々は、図２に示すように、第１方向Ｄ１から見て、窓孔６１を囲むように、カバー６の周方向に並んで配置されている。また、１以上の内側リブ６４の並ぶ仮想円の径方向（第２方向Ｄ２）の寸法は、窓孔６１の径方向の寸法よりも大きく、かつ、１以上のリブ６３が並ぶ仮想円の径方向の寸法よりも小さくなっている。１以上の内側リブ６４で囲まれる凹所には、組立済み筐体が配置される。つまり、１以上の内側リブ６４は、内器２をカバー６に取り付けるときに、内器２を位置決めするためのガイドとして機能する。
【００３９】
１以上の内側リブ６４の各々には、隙間６４１が設けられている。隙間６４１は、カバー６にホルダ５及び放熱部材２２（つまり、内器２）が取り付けられた状態において、放熱部材２２の突片２２２と対向する位置に設けられている。更に言えば、隙間６４１は、カバー６に取り付けられた内器２に筐体１を被せた状態において、筐体１の固定部１５と対向する位置に設けられている。
【００４０】
複数の支持具７の各々は、筐体１を造営材Ａ１に取り付けるための部材であり、一方向に長い板ばね状に形成されている。複数の支持具７の各々は、図３に示すように、長手方向の第１端部７１がカバー６の保持部６２に保持されており、かつ、長手方向の第２端部７２が筐体１の底片１１に近付く向き（上向き）に撓み可能に構成されている。複数の支持具７の各々について、第２端部７２を底片１１に近付く向きに撓ませた状態においては、筐体１は、造営材Ａ１に設けられた埋込孔Ａ１１に通すことが可能である。
【００４１】
予備電源装置Ｂ１は、蓄電池、商用電源から供給される交流電力によって蓄電池を充電する充電回路、蓄電池から電源ケーブルへの直流電力の給電を入切する切替器、及び商用電源の停電を検知したときに切替器を投入する停電検知回路などを備えている。予備電源装置Ｂ１は、停電検知回路が商用電源の停電を検知していないときは切替器を切って充電回路に蓄電池を充電させる。また、予備電源装置Ｂ１は、停電検知回路が商用電源の停電を検知している間は切替器を投入して蓄電池を放電させ、電源ケーブルを介して直流電力を照明装置１００に供給する。つまり、予備電源装置Ｂ１は、商用電源の停電などの非常時に照明装置１００に直流電力を供給するように構成されている。予備電源装置Ｂ１は、例えば自家発電機のように、非常時に照明装置１００に交流電力を供給するように構成されていてもよい。
【００４２】
（２）手順
以下、本実施形態の照明装置１００を組み立てる手順、及び照明装置１００を造営材Ａ１に取り付ける手順について図７Ａ及び図７Ｂを用いて説明する。以下の説明では、内器２（放熱部材２２）には、光源３、レンズ４、ホルダ５、及びカバー６が予め取り付けられていると仮定する。また、図７Ａ及び図７Ｂにおいては、筐体１の保持部１４、光源３、レンズ４、及びカバー６の図示を省略している。
【００４３】
（２．１）照明装置の組立手順
まず、照明装置１００を組み立てる手順について説明する。図７Ａに示すように、筐体１の内側に電源ユニット２１、放熱部材２２、及びホルダ５が収容されるように、筐体１を内器２に被せる。このとき、筐体１の２つの固定部１５と、放熱部材２２の一対の突片２２２とを対向させ、固定部１５の固定孔１５１と、突片２２２の固定孔２２３とを重ね合わせる。そして、重ね合わせた２つの固定孔１５１，２２３の各々に組立ねじ８を挿入してねじ止めすることにより、固定部１５（固定孔１５１の周縁）を放熱部材２２（突片２２２）に固定する。これにより、図７Ｂに示すように、筐体１の第１方向Ｄ１の第１端（下端）にて、内器２が筐体１に固定される。
【００４４】
（２．２）照明装置の造営材への取付手順
次に、照明装置１００を造営材Ａ１に取り付ける手順について説明する。まず、複数の支持具７の各々を、第２端部７２が筐体１の第１片１２１に当たるように折り畳んだ状態で、筐体１を造営材Ａ１の埋込孔Ａ１１に挿入する。すると、複数の支持具７は、埋込孔Ａ１１に挿入された後に元の状態（つまり、第２端部７２が折り畳まれていない状態）に復帰する。これにより、複数の支持具７とカバー６との間で埋込孔Ａ１１の周縁（つまり、造営材Ａ１）を挟み込むようにして、照明装置１００が造営材Ａ１に取り付けられる。
【００４５】
（３）利点
以下、本実施形態の照明装置１００の有する利点について、比較例１の照明装置を交えて説明する。比較例１の照明装置は、カバーの周方向において複数の保持部が繋がっている点で本実施形態の照明装置１００と相違する。つまり、比較例１の照明装置では、カバーに取り付けられた組立済み筐体が、複数の保持部、及び複数の保持部を繋ぐ繋ぎ部で構成される壁により囲まれている。
【００４６】
比較例２の照明装置において、光源などが発する熱は、主として放熱部材を介して筐体へと伝わり、筐体から外部へと逃がされる。しかしながら、比較例２の照明装置では、筐体が壁により囲まれているため、筐体と壁との間の空間に熱が滞留しやすい。一方、本実施形態の照明装置１００では、複数の保持部６２は、カバー６の周方向において空所を挟んで互いに離れて配置されている。つまり、本実施形態の照明装置１００では、カバーに取り付けられた組立済み筐体が壁により囲まれることがないため、熱が滞留しにくく、比較例２の照明装置と比べて、放熱性の向上を図ることが可能である。
【００４７】
また、本実施形態の照明装置１００は、以下のような利点もある。すなわち、第２方向（水平方向）にて筐体に内器を固定する構成であれば、比較例２の照明装置では、繋ぎ部が筐体に内器を固定する作業の妨げとなりやすい。この場合、繋ぎ部を避けるべく、筐体及び内器を繋ぎ部よりも上方に配置する必要がある。この場合、筐体及び内器を上方に配置することにより、結果として照明装置の高さ方向（第１方向）の寸法の大型化を招く可能性がある。一方、本実施形態の照明装置１００では、カバー６の周方向において複数の保持部６２が繋がっていないので、筐体１に内器２を固定する作業を行いやすい、という利点がある。そして、比較例２の照明装置のように繋ぎ部を避ける必要がないことから、筐体１及び内器２を上方に配置する必要もなく、結果として照明装置１００の高さ方向の寸法の大型化を回避しやすい、という利点もある。
【００４８】
また、本実施形態の照明装置１００では、複数の保持部６２の各々と、筐体１とが互いに離れている。つまり、複数の保持部６２の各々と、筐体１との間には、空気の流れる流路が設けられている。このため、本実施形態の照明装置１００では、複数の保持部６２と筐体１とが接している場合と比較して、筐体１が外気に触れやすく、更なる放熱性の向上を図ることができる、という利点がある。
【００４９】
また、本実施形態の照明装置１００では、複数の保持部６２と筐体１とが互いに離れていることから、保持部６２と筐体１との間のスペースを利用して、支持具７の第２端部７２を保持部６２よりもカバー６の中心に近い位置まで折り畳むことが可能である。このため、筐体１を造営材Ａ１の埋込孔Ａ１１に挿入するときに、支持具７が挿入の妨げになりにくく、照明装置１００を設置する作業を行いやすい、という利点もある。
【００５０】
また、本実施形態の照明装置１００では、カバー６には、１以上のリブ６３が設けられている。このため、本実施形態の照明装置１００では、筐体１を埋込孔Ａ１１に挿入するときに、１以上のリブ６３がガイドとして機能するため、筐体１を埋込孔Ａ１１に挿入しやすく、照明装置１００を造営材Ａ１に設置する作業を行いやすい、という利点がある。また、１以上のリブ６３が放熱フィンとして機能することで、更なる放熱性の向上が期待できる、という利点もある。
【００５１】
ここで、本実施形態の照明装置１００では、第２方向Ｄ２（水平方向）にて固定部１５を放熱部材２２の突片２２２（つまり、内器２の一部）に固定するときに、ドライバなどの工具を用いて組立ねじ８を締め付ける必要がある。本実施形態の照明装置１００では、１以上のリブ６３において固定部１５に対向する部位（隙間６３１）が、固定部１５を外部に臨ませるように開放されている。このため、本実施形態の照明装置１００では、１以上のリブ６３の開放された部位から第２方向Ｄ２に沿ってドライバなどの工具を差し込みやすいので、組立ねじ８を締め付けやすく、結果として施工性の向上を図ることができる、という利点がある。
【００５２】
また、本実施形態の照明装置１００では、筐体１は、隣り合う２つの側片１２（第４片１２４と第５片１２５）との間に隙間１６を有していることから、隣り合う２つの側片１２は、ある程度、弾性変形しやすい。つまり、本実施形態の照明装置１００では、２つの側片１２が弾性変形することで、筐体１の径方向（ここでは、水平方向）の寸法にある程度の幅を持たせることが可能である。このため、筐体１の径方向の寸法と、内器２の径方向の寸法との関係を精度良く調整しなくとも、筐体１に内器２を収容させやすい。
【００５３】
この利点について、比較例２の照明装置を交えて説明する。比較例２の照明装置は、筐体の隣り合う２つの側片（第４片と第５片）が繋がっており、隙間を有していない点で本実施形態の照明装置１００と相違する。例えば、比較例２の照明装置では、２つの側片が繋がっており、筐体を弾性変形させにくいことから、筐体の径方向の寸法に幅を持たせにくい。このため、製造時において筐体の径方向の寸法に比較的大きな誤差が生じた場合、筐体に内器を収容できない可能性がある。一方、本実施形態の照明装置１００では、仮に製造時に比較的大きな誤差が生じた場合でも、２つの側片１２を弾性変形することにより筐体１の径方向の寸法をある程度調整することが可能であるので、筐体１に内器２を収容させやすい。このように、本実施形態の照明装置１００では、筐体１の製造にあたっての径方向の寸法の誤差を許容しやすい。つまり、本実施形態の照明装置１００では、筐体１の設計の自由度の向上を図ることができる、という利点がある。
【００５４】
また、比較例２の照明装置において、筐体に内器を固定する場合、２つの側片のうち一方の側片を内器に固定することによる応力が、他方の側片に伝わりやすい。このため、比較例２の照明装置では、筐体に内器を固定するときに、一方の側片を内器に固定した時点で、応力により他方の側片が内器に対して浮き易くなる可能性がある。このような場合、他方の側片を内器に固定し難く、仮に他方の側片を強引に内器に固定した場合、筐体から内器が離れる向きの応力が筐体に掛かり続ける可能性がある。
【００５５】
これに対して、本実施形態の照明装置１００では、隣り合う２つの側片１２（第４片１２４と第５片１２５）との間に隙間１６を有している。このため、本実施形態の照明装置１００では、２つの側片１２のうち一方の側片１２を内器２に固定することによる応力が、他方の側片１２に伝わりにくい。つまり、本実施形態の照明装置１００では、筐体１に内器２を固定するときに、一方の側片１２を内器２に固定しても、他方の側片１２が内器２に対して浮き難く、他方の側片１２を内器２に固定しやすい、という利点もある。したがって、本実施形態の照明装置１００では、筐体１に内器２を固定するときに、他方の側片１２を強引に内器２に固定するといった事態は生じ難く、その結果、筐体１から内器２が離れる向きの応力が筐体１に掛かりにくい、という利点もある。
【００５６】
また、本実施形態の照明装置１００では、１枚の板材（板金）に対して曲げ加工を施すことにより、筐体１を製造することが可能である。このため、本実施形態の照明装置１００では、比較例２の照明装置と比較して、隣り合う側片１２を繋げる工程（例えば、溶接など）が不要であり、製造工程の簡略化を図ることができる、という利点もある。
【００５７】
また、本実施形態の照明装置１００は、造営材Ａ１としての天井材に取り付ける場合に、第１方向Ｄ１（鉛直方向）にて筐体１に内器２を固定するのではなく、第２方向Ｄ２（水平方向）にて筐体１に内器２を固定する構成となっている。ここで、第１方向Ｄ１にて筐体１に内器２を固定する場合、内器２内にねじ止め用のボスを設ける必要がある。この場合、ボスにより内器２内のスペースが狭くなるので、点灯回路２１２等の部品を内器２に収容するためには、内器２を大型化せざるを得ない可能性がある。一方、本実施形態の照明装置１００のように、第２方向Ｄ２にて筐体１に内器２を固定する構成であれば、内器２の重量を組立ねじ８で受けることができるので、内器２内にボスを設ける必要がない。このため、本実施形態の照明装置１００では、第１方向Ｄ１にて筐体１に内器２を固定する構成と比較して、内器２内のスペースを確保し易く、内器２の大型化を回避することができる、という利点もある。
【００５８】
ところで、上述の実施形態において、組立済み筐体は、カバー６だけではなく、図８及び図９に示すように別カバー９に取り付けることが可能である。別カバー６は、例えば造営材Ａ１に新たに埋込孔Ａ１１を設ける場合に用いられる。カバー６は、例えば造営材Ａ１に既に埋込孔Ａ１１が設けられており、かつ、埋込孔Ａ１１の径方向の寸法が別カバー９の径方向の寸法よりも大きい場合に用いられる。日本国においては、別カバー９は、例えば埋込孔Ａ１１の径方向の寸法がφ６０［ｍｍ］のときに用いられ、カバー６は、例えば埋込孔Ａ１１の径方向の寸法がφ１００［ｍｍ］のときに用いられる。
【００５９】
別カバー９の径方向（第２方向Ｄ２）の寸法は、カバー６の径方向の寸法よりも小さい。また、別カバー９は、複数の保持部６２、１以上のリブ６３、及び１以上の内側リブ６４を有していない点でカバー６と相違する。別カバー９は、窓孔６１に相当する窓孔９１と、複数のボス６５に相当する複数のボス９２と、組立済み筐体の第１方向Ｄ１の一端（下端）が嵌る凹所９３と、を有している。
【００６０】
組立済み筐体を別カバー９に取り付ける場合には、複数の支持具７は、カバー６ではなく、それぞれ筐体１の複数の保持部１４に保持される。そして、組立済み筐体をカバー６に取り付ける場合と同様に、「（２．２）照明装置の造営材への取付手順」を踏むことで、照明装置１００が造営材Ａ１に取り付けられる。
【００６１】
このように、上述の実施形態では、カバー６に取付可能な組立済み筐体を、径方向の寸法が比較的小さい別カバー９に取り付けることが可能であり、組立済み筐体をカバー６と別カバー９とで共用することができる、という利点がある。
【００６２】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００６３】
上述の実施形態では、カバー６は、２つの保持部６２を有しているが、更に多数の保持部６２を有していてもよい。
【００６４】
上述の実施形態において、複数の保持部６２は、組立済み筐体（つまり、筐体１）に接するように配置されていてもよい。この場合でも、筐体１が壁により囲まれることはないので、放熱性の向上を図ることが可能である。
【００６５】
上述の実施形態では、１以上のリブ６３のうち隣り合う２つのリブ６３は、隙間６３１を挟んで離間しているが、これに限定する趣旨ではない。例えば、１以上のリブ６３のうち隣り合う２つのリブ６３は、繋がっていてもよい。同様に、上述の実施形態では、１以上の内側リブ６４のうち隣り合う２つの内側リブ６４は、隙間６４１を挟んで離間しているが、これに限定する趣旨ではない。例えば、１以上の内側リブ６４のうち隣り合う２つの内側リブ６４は、繋がっていてもよい。この場合、隙間６３１，６４１は、例えば工具を挿入可能な寸法の孔で構成されるなど、少なくとも固定部１５を外部に臨ませる程度に開放されていればよい。
【００６６】
上述の実施形態では、筐体１の固定部１５は、組立ねじ８を用いて内器２に固定されているが、これに限定する趣旨ではない。例えば、固定部１５は、固定孔１５１の代わりに、内器２の一部に引っ掛かる引掛け部を有していてもよい。この場合、固定部１５は、引掛け部を内器２の一部に引っ掛けることにより内器２に固定される。その他、固定部１５は、組立ねじ８の代わりに、ピンを用いて内器２に固定される構成であってもよい。この場合、例えば固定孔１５１に挿入されたピンの先端をかしめることにより、固定部１５が内器２に固定される。
【００６７】
上述の実施形態において、筐体１に内器２を固定する手段として工具を用いる手段を用いない場合、カバー６は、隙間６３１，６４１を有していなくてもよい。また、上述の実施形態において、カバー６は、１以上のリブ６３及び１以上の内側リブ６４の少なくとも一方を有していなくてもよい。
【００６８】
上述の実施形態では、筐体１は、金属製の板材で構成されているが、これに限定する趣旨ではない。例えば、筐体１は、樹脂製の板材で構成されていてもよい。この場合、筐体１は、放熱部材２２を介して光源３が発する熱を外部へ逃がす効果が期待できるように、熱伝導性の比較的高い樹脂材料で形成されるのが好ましい。
【００６９】
上述の実施形態では、筐体１の２つの側片１２の各々には、１つの固定部１５が設けられているが、複数の固定部１５が設けられていてもよい。この場合、放熱部材２２は、固定部１５の数に応じた数の突片２２２を有していればよい。例えば、２つの側片１２の各々に２つの固定部１５が設けられている場合、放熱部材２２は、これらに対向する位置に４つの突片２２２を有していればよい。また、この場合、１以上のリブ６３及び１以上の内側リブ６４は、それぞれ固定部１５の数に応じた数の隙間６３１及び６４１を有していればよい。
【００７０】
上述の実施形態では、筐体１の固定部１５は、放熱部材２２の突片２２２に固定されているが、これに限定する趣旨ではない。例えば、放熱部材２２は、一対の突片２２２を有していなくてもよい。この場合、放熱部材２２の主板２２１の側部に固定孔２２３を設け、この固定孔２２３と固定部１５の固定孔１５１とを重ね合わせた状態で、組立ねじ８によりねじ止めすれば、固定部１５を主板２２１の側部に固定することが可能である。その他、固定部１５は、放熱部材２２以外の内器２の一部（例えば、電源ユニット２１のケース２１１）に固定されてもよい。この場合、内器２の一部に固定孔２２３を設け、この固定孔２２３と固定部１５の固定孔１５１とを重ね合わせた状態で、組立ねじ８によりねじ止めすれば、固定部１５を放熱部材２２以外の内器２の一部に固定することが可能である。
【００７１】
上述の実施形態では、筐体１は、２つの側片１２を有しているが、更に多数の側片１２を有していてもよい。この場合、複数の側片１２の各々が１つ以上の固定部１５を有していればよい。また、複数の側片１２の各々が複数の固定部１５を有している場合、複数の固定部１５は、いずれも同じ手段により内器２に固定される必要はない。例えば、複数の固定部１５のうち１以上の固定部１５では組立ねじ８による固定手段を採用し、残りの固定部１５では引掛け部による固定手段を採用してもよい。
【００７２】
上述の実施形態では、照明装置１００は、造営材Ａ１としての天井材に取り付けられているが、これに限定する趣旨ではない。例えば、照明装置１００は、造営材Ａ１としての壁材に取り付けられてもよい。この場合、第１方向Ｄ１は、例えば水平方向となる。もちろん、第１方向Ｄ１は、水平方向でなくてもよく、水平方向に対して所定の角度傾いた方向であってもよい。また、この場合、第２方向Ｄ２は、例えば鉛直方向となる。もちろん、第２方向Ｄ２は、鉛直方向でなくてもよく、鉛直方向に対して所定の角度傾いた方向であってもよい。
【００７３】
上述の実施形態では、光源３は、１つの発光ダイオードのみを含む構成に限らず、複数の発光ダイオードを含む構成であってもよい。
【００７４】
上述の実施形態では、照明装置１００は電源別置型であるが、これに限定する趣旨ではない。例えば、照明装置１００は、光源３に電力を供給する蓄電池を内蔵する電源内蔵型であってもよい。この態様では、蓄電池は、電源ユニット２１のケース２１１に収容される。また、この態様では、電源ユニット２１のケース２１１には、外部電源（例えば、商用電源）からの電力供給を受けて蓄電池を充電する充電回路、及び外部電源の停電を検出する停電検出回路などが収容される。そして、この態様では、点灯回路２１２は、蓄電池から供給される電力を受けて光源３を点灯させるように構成される。
【００７５】
上述の実施形態において、照明装置１００の用途は、非常用の照明装置に限定されない。例えば、照明装置１００は、非常時に人を誘導するための誘導灯として用いられてもよい。また、照明装置１００は、例えばダウンライト等の常用点灯用の照明装置として用いられてもよい。
【００７６】
（まとめ）
以上述べたように、第１の態様に係る照明装置（１００）は、内器（２）と、筐体（１）と、カバー（６）と、を備える。内器（２）は、発光ダイオードを含む光源（３）を点灯させる点灯回路（２１２）を有し、一方向（第１方向（Ｄ１））の一端にて光源（３）を保持可能である。筐体（１）は、内器（２）を収容する。カバー（６）は、筐体（１）に取り付けられて、光源（３）を外部に臨ませる窓孔（６１）を有する。カバー（６）は、カバー（６）を造営材（Ａ１）に取り付けるための複数の支持具（７）をそれぞれ保持する複数の保持部（６２）を有する。複数の保持部（６２）の各々は、カバー（６）において筐体（１）が取り付けられる取付面（６０）から一方向（第１方向（Ｄ１））に突出している。複数の保持部（６２）は、一方向（第１方向（Ｄ１））から見て、筐体（１）を囲むように並んで配置されており、かつ、カバー（６）の周方向において空所を挟んで互いに離れている。
【００７７】
この態様によれば、放熱性の向上を図ることができる、という利点がある。
【００７８】
第２の態様に係る照明装置（１００）では、第１の態様において、複数の保持部（６２）の各々と、筐体（１）とは、互いに離れている。
【００７９】
この態様によれば、複数の保持部（６２）と筐体（１）とが接している場合と比較して、更なる放熱性の向上を図ることができる、という利点がある。
【００８０】
第３の態様に係る照明装置（１００）では、第１又は第２の態様において、カバー（６）の取付面（６０）には、一方向（第１方向（Ｄ１））に突出する１以上のリブ（６３）が設けられている。１以上のリブ（６３）は、カバー（６）の周方向において複数の保持部（６２）と並ぶように配置されている。
【００８１】
この態様によれば、筐体（１）を造営材（Ａ１）に設けられた埋込孔（Ａ１１）に挿入する際に、１以上のリブ（６３）がガイドとなるので、照明装置（１００）を造営材（Ａ１）に設置する作業を行いやすい、という利点がある。
【００８２】
第４の態様に係る照明装置（１００）では、第３の態様において、筐体（１）は、内器（２）を筐体（１）に固定するための固定部（１５）を有している。１以上のリブ（６３）において固定部（１５）に対向する部位は、固定部（１５）を外部に臨ませるように開放されている。
【００８３】
この態様によれば、内器（２）を筐体（１）に固定する際に、固定部（１５）に向けてドライバなどの工具を差し込みやすく、施工性の向上を図ることができる、という利点がある。
【００８４】
第５の態様に係る照明装置（１００）では、第１〜第４のいずれかの態様において、筐体（１）は、板材からなり、内器（２）を筐体（１）に固定するための固定部（１５）を有している。筐体（１）は、底片（１１）と、複数の側片（１２）と、を有している。底片（１１）は、筐体（１）の一方向（第１方向（Ｄ１））における上記一端とは反対側の一端にて筐体（１）の底部を構成する。複数の側片（１２）は、筐体（１）の側部を構成する。複数の側片（１２）は、それぞれ底片（１１）と繋がっており、かつ、複数の側片（１２）のうち隣り合う２つの側片（１２）の間に隙間（１６）を有している。固定部（１５）は、複数の側片（１２）の各々に設けられており、一方向（第１方向（Ｄ１））と交差する方向（第２方向（Ｄ２））にて内器（２）の一部（放熱部材（２２））に固定される。
【００８５】
この態様によれば、筐体（１）の設計の自由度の向上を図ることができる、という利点がある。
【００８６】
第２〜第５の態様に係る構成については、照明装置（１００）に必須の構成ではなく、適宜省略可能である。
【符号の説明】
【００８７】
１００  照明装置
１  筐体
１１  底片
１２  側片
１５  固定部
１６  隙間
２  内器
２１２  点灯回路
３  光源
６  カバー
６０  取付面
６１  窓孔
６２  保持部
６３  リブ
７  支持具
Ａ１  造営材
Ｄ１  第１方向（一方向）
【図１】
2019087322.tif 000003
【図２】
2019087322.tif 000004
【図３】
2019087322.tif 000005
【図４】
2019087322.tif 000006
【図５】
2019087322.tif 000007
【図６】
2019087322.tif 000008
【図７】
2019087322.tif 000009
【図８】
2019087322.tif 000010
【図９】
2019087322.tif 000011